(57)【特許請求の範囲】
【請求項１】
固定側及び可動側間に設けられ可動側の直線移動を固定側に対して緩衝する緩衝装置において、
前記固定側又は可動側の一方に係合しつつ他方に対し相対移動可能に支持された第１，第２の可動体と、
前記固定側又は可動側の他方と前記第１，第２の可動体との間に設けられ第１，第２の可動体の移動を緩衝する第１，第２の緩衝体と、
前記第１，第２の可動体の一方の移動途中で他方が前記固定側又は可動側の一方から係合が外れる
ことを特徴とする緩衝装置。
【請求項２】
請求項１記載の緩衝装置であって、
前記固定側又は可動側の他方に、前記第１，第２の可動体の相対移動をガイドするガイド部を設け、
前記ガイド部は、前記第１，第２の可動体の前記相対移動開始時に前記固定側及び可動側の一方に係合を開始すると共に相対移動開始位置への復帰時に係合が外れるように前記ガイドを行う
ことを特徴とする緩衝装置。
【請求項３】
請求項２記載の緩衝装置であって、
前記第１，第２の可動体の前記相対移動を付勢する付勢部材を設け、
前記ガイド部は、前記第１，第２の可動体の相対移動の開始位置で前記付勢部材による付勢移動をロックすると共に前記第１，第２の可動体の前記相対移動開始時に前記ロックを外し且つ相対移動の開始位置への復帰時に再ロックするように前記ガイドを行う
ことを特徴とする緩衝装置。
【請求項４】
請求項１〜３の何れかに記載の緩衝装置であって、
前記第１の緩衝体は、直線ダンパであり、該直線ダンパの一端が固定側又は可動側の一方に回動可能に結合され他端が前記第１，第２の可動体の一方に回動可能に結合され、
前記第２の緩衝体は、回転ダンパであり、該回転ダンパが、固定側又は可動側の一方に直線移動可能に支持され一端が前記第１，第２の可動体の他方に回動可能に結合されたラックに噛み合うピニオンに連動結合された
ことを特徴とする緩衝装置。
【請求項５】
請求項１〜４の何れかに記載の緩衝装置であって、
前記固定側は、家屋の開口部及び該開口部に取り付けられたガイド・レールであり、
前記可動側は、前記開口部を開閉する引き戸及び該引き戸に取り付けられ前記ガイド・レールに直線移動ガイドされる可動レールである
ことを特徴とする緩衝装置。
【発明の詳細な説明】
【技術分野】
【０００１】
本発明は、家屋の開口部に取り付けられる引き戸の開閉動作の緩衝等に利用される緩衝装置に関する。
【背景技術】
【０００２】
従来、家屋の引き戸の開閉動作を緩衝する装置では、自動的な引き込み装置に、油圧を利用した直線ダンパや回転ダンパを選択して組み合わせたものがある。かかる装置では、例えば、引き戸が閉まる手前でスプリングを利用した引き込み装置が作用すると共に直線ダンパや回転ダンパにより緩衝し、自動引き込み及び緩衝を行わせることができる。
【０００３】
この場合、ダンピング作用を比較的強く設定すれば、スプリングを強めにして早い引き込みに対しても充分に緩衝させることができる。
【０００４】
しかし、スプリング力を弱く設定した場合には、ダンピング作用が過剰となり、引き込み速度が遅くなるという問題がある。
【０００５】
すなわち、直線ダンパや回転ダンパの何れか単一の緩衝体を用いる場合、その緩衝作用の設定により引き戸、すなわち可動側の可動特性が一義的に決定されてしまうことになる。
【０００６】
【特許文献１】特開２００５−２３０４６８号公報
【発明の開示】
【発明が解決しようとする課題】
【０００７】
解決しようとする問題点は、単一の緩衝体の緩衝作用の設定により可動側の可動特性が一義的に決定される点である。
【課題を解決するための手段】
【０００８】
本発明は、可動側の可動特性の設定範囲を拡げるため、固定側又は可動側の一方に係合しつつ他方に対し相対移動可能に支持された第１，第２の可動体と、固定側又は可動側の他方と前記第１，第２の可動体との間に設けられ第１，第２の可動体の移動を緩衝する第１，第２の緩衝体と、第１，第２の可動体の一方の移動途中で他方が前記固定側又は可動側の一方から係合が外れることを最も主要な特徴とする。
【発明の効果】
【０００９】
本発明の緩衝装置は、固定側又は可動側の一方に係合しつつ他方に対し相対移動可能に支持された第１，第２の可動体と、固定側又は可動側の他方と前記第１，第２の可動体との間に設けられ第１，第２の可動体の移動を緩衝する第１，第２の緩衝体と、第１，第２の可動体の一方の移動途中で他方が前記固定側又は可動側の一方から係合が外れるため、第１，第２の緩衝体の一方の作用を途中で停止させることができる。このため、可動側の可動特性を、第１，第２の緩衝体が共に作用する状態と一方のみ作用する状態とに変化させることができ、第１，第２の緩衝体の緩衝特性の設定により、可動特性の設定範囲を拡げることができる。
【発明を実施するための最良の形態】
【００１０】
可動側の可動特性の設定範囲を拡げるという目的を、複数の緩衝体を用いることで実現した。
【実施例１】
【００１１】
［緩衝装置の構造］
図１は、本発明実施例の緩衝装置を備えるドア・クローザー引き込みユニットを取り付けた引き戸を示す組み付け図、図２は、引き戸の動作状態を示し、（ａ）は、引き戸解放状態、（ｂ）は、引き戸引き込み開始状態、（ｃ）は、引き戸全閉状態を示す説明図である。
【００１２】
図１，図２のように、固定側である家屋の開口部１に、可動側である引き戸３が組み付けられ、引き戸３を開口部１に対しスライド移動させることで開口部１を開閉可能となっている。
【００１３】
前記開口部１には、固定側のスライド・レール５が取り付けられ、このスライド・レール５に引き戸３が直線移動可能に支持されている。開口部１には、緩衝装置を適用したドア・クローザー引き込みユニット７が取り付けられ、このドア・クローザー引き込みユニット７により、引き戸３の全閉直前の所定範囲で引き戸の自動的な引き込みと緩衝とが行われる。
【００１４】
前記スライド・レール５は、図３，図４のようになっている。図３は、ドア・クローザー引き込みユニットを含めたスライド・レールの要部拡大正面図、図４は、スライド・レール拡大断面図である。
【００１５】
図３，図４のように、スライド・レール５は、ドア・クローザー引き込みユニット７が取り付けられるように開口部１の全長よりも短く、アウター・レール９及びガイド・レール１１とインナー・レール１３とを備えている。アウター・レール９は、前記開口部１の鴨居１５に沿って固定され、ガイド・レール１１は、アウター・レール９内に沿って固定されている。インナー・レール１３は、アウター・レール９に沿って配置され、鋼球１６により可動支持されている。従って、インナー・レール１１は、アウター・レール９及びガイド・レール１１に沿って直線移動ガイドにより相対移動可能であり、可動側の可動レールを構成している。インナー・レール１１には、ドア・クローザー引き込みユニット７側の端部に、連結バー１７が固定されている。
【００１６】
前記ドア・クローザー引き込みユニット７は、図３及び図５〜図９のようになっている。図５は、ドア・クローザー引き込みユニットの下面図、図６は、同一側側面図、図７は、同他側側面図、図８は、図５のＶＩＩＩ−ＶＩＩＩ線矢視に係り、（ａ）は、引き込み開始時の断面図、（ｂ）は、移動途中の断面図、図９は、図５のＩＸ−ＩＸ線矢視に係り、（ａ）は、引き込み開始時の断面図、（ｂ）は、全閉時の断面図である。
【００１７】
図３及び図５〜図９のように、ドア・クローザー引き込みユニット７は、ハウジング１９に第１，第２の可動体としての第１，第２の連結板２１ａ，２１ｂ，２３ａ，２３ｂと第１，第２の緩衝体としての直線ダンパ２５，回転ダンパ２７と第１，第２の付勢部材としての第１，第２のコイル・スプリング２９，３１とを備えている。
【００１８】
前記ハウジング１９は、サイド・パネル３３，３５と中間パネル３７，３９とを備え、締結固定部４１，４３が設けられている。サイド・パネル３３及び中間パネル３７とサイド・パネル３５及び中間パネル３９とには、第１，第２のガイド長孔４５，４７が各別に設けられている。第１のガイド長孔４５は、短く第２のガイド長孔４７の途中までの長さに形成され、両端に退避部４９，５１が設けられている。第２のガイド長孔４７は、第２の連結板２３ａ，２３ｂの全相対移動ストロークに応じた長さに形成されている。第２のガイド長孔４７には、一端に退避部５３が設けられている。
【００１９】
前記第１の連結板２１ａ，２１ｂは、前記サイド・パネル３３及び中間パネル３７間に配置され、前記第２の連結板２３ａ，２３ｂは、前記サイド・パネル３５及び中間パネル３９間に配置されている。第１，第２の連結板２１ａ，２３ａには、移動方向前後に連結爪部５５，５７，５９，６１が設けられ、第１の連結板２１ａ，２１ｂ間，第２の連結板２３ａ，２３ｂ間には、それぞれ連結爪部５５，５９側で第１，第２のピン６３，６５が取り付けられ、連結爪部５７，６１側で第３，第４のピン６７，６９が取り付けられている。第１，第３のピン６３，６７は、両端が各第１のガイド長孔４５に移動可能に嵌合し、第２，第４のピン６５，６９は、両端が各第２のガイド長孔４７に移動可能に嵌合している。
【００２０】
前記直線ダンパ２５は、例えば油圧を用いたショック・アブソーバで構成され、ピストン側が第１の連結板２１ａ，２１ｂの第３のピン６７に回動可能に結合され、シリンダ側がハウジング１９のサイド・パネル３３及び中間パネル３７に回動可能に結合されている。
【００２１】
前記回転ダンパ２７は、直線ダンパ２５の背後に配置され、ハウジング１９のサイド・パネル３３に固定されている。回転ダンパ２７の回転軸７１は、ピニオン７３に結合されている。ピニオン７３は、サイド・パネル３５及び中間パネル３９間に配置されたラック部材７５のラック７７に噛み合っている。ラック部材７５は、ハウジング１９に直線移動可能に支持され一端が前記第２の連結板２３ａ，２３ｂの第４のピン６９に回動可能に結合されている。
【００２２】
前記第１のコイル・スプリング２９は、一端が前記第１の連結板２１ａ，２１ｂに取り付けられたスプリング係合ピン７９に係合し、他端がハウジング１９のスプリング係合ピン８１に係合している。
【００２３】
前記第２のコイル・スプリング３１は、前記一端が前記第２の連結板２３ａ，２３ｂに取り付けられたスプリング係合ピン８３に係合し、他端がハウジング１９のスプリング係合ピン８５に係合している。
【００２４】
前記第１，第２のコイル・スプリング２９，３１は、例えば同ストロークで同付勢力となるようにバネ定数が設定されている。
【００２５】
前記ドア・クローザー引き込みユニット７は、締結固定部４１，４３において鴨居１５側に固定されている。
【００２６】
［緩衝動作］
引き戸を図２（ａ）の解放状態から閉めると、全閉状態の少し手前で、（ｂ）のようにドア・クローザー引き込みユニット７が引き戸３の引き込みを開始し、（ｃ）のように全閉状態まで緩衝しつつ自動で閉じる。
【００２７】
図２（ａ）の解放状態から閉めるときは、インナー・レール１３がガイド・レール１１にガイドされつつ鋼球１６の転動を介しアウター・レール９に沿って全閉方向へ直線移動する。
【００２８】
前記引き込みを開始時は、図８（ａ）、図９（ａ）のように、インナー・レール１３の連結バー１７が、第１，第２の連結板２１ａ，２３ａの連結爪部５７，６１に当接する。この当接により第１，第２の連結板２１ａ，２３ａが第２，第４のピン６７，６９を中心に回転力を受け、第１，第２の連結板２１ａ，２１ｂ，２３ａ，２３ｂの相対移動開始時に第１，第２のピン６３，６５が退避部４９，５３から外れ、ロックが解除される。
【００２９】
このロック解除により第１，第２コイル・スプリング２９，３１が働き、双方の付勢力により第１，第２の連結板２１ａ，２１ｂ，２３ａ，２３ｂが、直線的に相対移動する。このとき、第１のガイド長孔４５，４７に第１，第３のピン６３，６７、第２，第４のピン６５，６９がそれぞれガイドされる。
【００３０】
この直線的な相対移動により第１，第２の連結板２１ａ，２３ａの連結爪部５５，５９が連結バー１７に係合し、連結バー１７を第１，第２の連結板２１ａ，２１ｂ，２３ａ，２３ｂによって直線的に引き込み、相対移動させる。
【００３１】
この連結バー１７の相対移動によりインナー・レール１３が第１，第２コイル・スプリング２９，３１の付勢力を受けながらスライド移動して引き戸３の引き込みが行われる。
【００３２】
この引き込み時に、直線ダンパ２５側ではピストンが動作し、回転ダンパ２７側では、ラック部材７５の移動によりラック７７に噛み合うピニオン７３が回転する。ピストンの動作及びピニオン７３の回転により直線ダンパ２５及び回転ダンパ２７がダンピング作用を奏する。
【００３３】
前記第２の連結板２３ａ，２３ｂの移動途中で第１の連結板２１ａ，２１ｂ間の第３のピン６７が第１のガイド長孔４５の退避部５１にガイドされて退避し、第１の連結板２１ａ，２１ｂが第１のピン６３を中心に回動する。この回動により第１の連結板２１ａの連結爪部５７が連結バー１７から外れる。
【００３４】
従って、第１のコイル・スプリング２９の付勢力の作用及び直線ダンパ２５の作用は無くなる。
【００３５】
前記第２の連結板２３ａの連結爪部６１による連結は維持されるから、第２のコイル・スプリング３１の付勢による引き込みは継続され、回転ダンパ２７のみによるダンピングが行われる。
【００３６】
従って、引き戸３は、自動で引き込まれながら図２（ｃ）の全閉状態となる。
【００３７】
前記引き戸３を全閉状態から開けると、引き戸３と共に移動するインナー・レール１３の連結バー１７が第２の連結板２３ａの連結爪部５９に係合し、第２の連結板２３ａ，２３ｂを上記とは逆方向へ第２のガイド長孔４７に沿って連動させる。
【００３８】
従って、引き戸３３の開き始めは、第２のコイル・スプリング３１の付勢力及び回転ダンパ２７のダンピング力のみが引き戸を開く操作力に対し反力として働き、第１のコイル・スプリング２９の付勢力及び直線ダンパ２５のダンピング力は働かない。なお、回転ダンパ２７を一方向性のものにすると、引き戸３を開くときは、ダンピング力が働かないようにすることもできる。
【００３９】
前記第２の連結板２３ａ，２３ｂの移動途中で、前記連結バー１７が第１の連結板２１ａの連結爪部５５に係合し、第１の連結板２１ａ，２１ｂを上記とは逆方向へ第１のガイド長孔４５に沿って連動させる。
【００４０】
前記第１，第２の連結板２１ａ，２１ｂ，２３ａ，２３ｂが共に移動し、相対移動開始位置へ復帰するとき、第１，第２のピン６３，６５が、第１，第２のガイド長孔４５，４７の退避部４９，５３にガイドされて退避する。この退避により、第１，第２の連結板２１ａ，２１ｂ，２３ａ，２３ｂが第３，第４のピン６７，６９を中心に回動し、第１，第２のピン６３，６５が再ロックされると共に連結バー１７が連結爪部５５，５９から外れる。
【００４１】
従って、引き戸３がドア・クローザー引き込みユニット７から解放され、直線ダンパ２５，回転ダンパ２７及び第１，第２コイル・スプリング２９，３１の反力が無い状態で開き動作させることができる。
【００４２】
［実施例１の効果］
本発明実施例のドア・クローザー引き込みユニット７は、インナー・レール１３の連結バー１７に係合しつつ開口部１に取り付けられたハウジング１９に対し相対移動可能に支持された第１，第２の連結板２１ａ，２１ｂ，２３ａ，２３ｂと、ハウジング１９と第１，第２の連結板２１ａ，２１ｂ，２３ａ，２３ｂとの間に設けられ第１，第２の連結板２１ａ，２１ｂ，２３ａ，２３ｂの移動を緩衝する直線ダンパ２５，回転ダンパ２７と、第１，第２の連結板２１ａ，２１ｂ，２３ａ，２３ｂの移動途中で第２の連結板２３ａ，２３ｂがインナー・レール１３側の連結バー１７から外れるため、直線ダンパ２５の作用を途中で停止させることができる。このため、インナー・レール１３の可動特性を、直線ダンパ２５及び回転ダンパ２７が共に作用する状態と回転ダンパ２７のみ作用する状態とに変化させることができ、直線ダンパ２５及び回転ダンパ２７の緩衝特性の設定により、インナー・レール１３の可動特性の設定範囲を拡げることができる。
【００４３】
すなわち、引き戸３の引き込み始めは、第１，第２のコイル・スプリング２９，３１の双方による付勢力で早く引き込み且つ直線ダンパ２５及び回転ダンパ２７によりダンピングさせ、引き込み途中から第２のコイル・スプリング３１のみにより遅い速度で引き込み且つ回転ダンパ２７によりダンピングさせる。
【００４４】
このような、引き込み動作により、引き戸３を迅速且つ穏やかに引き込むことが可能となる。
【００４５】
この引き戸３を開くときは、始めに前記のように第２のコイル・スプリング３１の付勢力及び回転ダンパ２７のダンピング力のみが操作力に対し反力として働くが、第１のコイル・スプリング２９の付勢力及び直線ダンパ２５のダンピング力は働かないため、操作力が重くなることもない。また、引き戸３が開き始めれば、慣性力の働きにより途中から第１，第２のコイル・スプリング２９，３１の双方の反力及び直線ダンパ２５及び回転ダンパ２７のダンピング力が共に働いても、特に操作力が重くなる感じはなく、引き戸３を円滑に開くことができる。但し、回転ダンパ２７及び直線ダンパ２５を一方向性のものにすれば、引き戸３を開くときは、双方のダンピング力が共に発生しないようにすることもできる。
【００４６】
前記ハウジング１９に、前記第１，第２の連結板２１ａ，２１ｂ，２３ａ，２３ｂの相対移動をガイドする第１，第２のガイド長孔４５，４７を設け、前記第１，第２のガイド長孔４５，４７部は、前記第１，第２の連結板２１ａ，２３ａの前記相対移動開始時に前記インナー・レール１３の連結バー１７に係合を開始すると共に相対移動開始位置への復帰時に係合が外れるように前記ガイドを行うため、インナー・レール１３の相対移動により直線ダンパ２５及び回転ダンパ２７の作用を開始及び停止させることができる。
【００４７】
前記第１，第２の連結板２１ａ，２１ｂ，２３ａ，２３ｂの前記相対移動を付勢する第１，第２のコイル・スプリング２９，３１を設け、前記第１，第２のガイド長孔４５，４７は、前記第１，第２の連結板２１ａ，２１ｂ，２３ａ，２３ｂの相対移動の開始位置で前記第１，第２のコイル・スプリング２９，３１による付勢移動をロックすると共に前記第１，第２の連結板２１ａ，２１ｂ，２３ａ，２３ｂの前記相対移動開始時に前記ロックを外し且つ相対移動の開始位置への復帰時に再ロックするように前記ガイドを行うため、インナー・レール１３の移動によりロックを外して第１，第２のコイル・スプリング２９，３１を作用させインナー・レール１３の相対移動を第１，第２のコイル・スプリング２９，３１により自動で行わせ、再ロックにより次の相対移動に備えさせることができる。
【００４８】
前記直線ダンパ２５は、一端が第１の連結板２１ａ，２１ｂに回動可能に結合され他端がハウジング１９に回動可能に結合され、前記回転ダンパ２７は、ハウジング１９に直線移動可能に支持され一端が前記第２の連結板２３ａ，２３ｂに回動可能に結合されたラック部材７５のラック７７に噛み合うピニオン７３に連動結合されたため、インナー・レール１３の相対移動開始により直線ダンパ２５及び回転ダンパ２７の双方を作用させ、移動途中で直線ダンパ２５の作用を停止させ、回転ダンパ２７のみの作用とすることができる。
［その他］
回転ダンパ２７は、直線ダンパ２５よりもダンピング力を弱めた直線ダンパに換えることもできる。
【００４９】
ドア・クローザー引き込みユニット７を引き戸３側に取り付け、開口部１側に連結バー１７を支持させる構成にすることもできる。
【００５０】
緩衝装置としては、ドア・クローザー引き込みユニット７以外、例えば家具の抽斗、冷蔵庫の扉などの家電製品、その他、固定側に対し移動するものに適用することができる。
【図面の簡単な説明】
【００５１】
【図１】ドア・クローザー引き込みユニットを取り付けた引き戸を示す組み付け図である（実施例１）。
【図２】引き戸の動作状態を示し、（ａ）は、引き戸解放状態、（ｂ）は、引き戸引き込み開始状態、（ｃ）は、引き戸全閉状態を示す説明図である（実施例１）。
【図３】ドア・クローザー引き込みユニットを含めたスライド・レールの要部拡大正面図である（実施例１）。
【図４】スライド・レール拡大断面図である（実施例１）。
【図５】ドア・クローザー引き込みユニットの下面図である（実施例１）。
【図６】ドア・クローザー引き込みユニットの一側側面図である（実施例１）。
【図７】ドア・クローザー引き込みユニットの他側側面図である（実施例１）。
【図８】図５のＶＩＩＩ−ＶＩＩＩ線矢視に係り、（ａ）は、引き込み開始時の断面図、（ｂ）は、移動途中の断面図である（実施例１）。
【図９】図５のＩＸ−ＩＸ線矢視に係り、（ａ）は、引き込み開始時の断面図、（ｂ）は、全閉時の断面図である（実施例１）。
【符号の説明】
【００５２】
１  開口部（固定側）
３  引き戸（可動側）
５  スライド・レール（固定側）
７  ドア・クローザー引き込みユニット（緩衝装置）
９  アウター・レール（固定側）
１１  ガイド・レール固定側）
１３  インナー・レール（可動側）
１９  ハウジング（固定側）
２１ａ，２１ｂ  第１の連結板（第１の可動体）
２３ａ，２３ｂ  第２の連結板（第２の可動体）
２５  直線ダンパ（第１の緩衝体）
２７  回転ダンパ（第２の緩衝体）
２９  第１のコイル・スプリング（第１の付勢部材）
３１  第２のコイル・スプリング（第２の付勢部材）
４５  第１のガイド長孔（ガイド部）
４７  第２のガイド長孔（ガイド部）
【図１】
0004791796.tif 000002
【図２】
0004791796.tif 000003
【図３】
0004791796.tif 000004
【図４】
0004791796.tif 000005
【図５】
0004791796.tif 000006
【図６】
0004791796.tif 000007
【図７】
0004791796.tif 000008
【図８】
0004791796.tif 000009
【図９】
0004791796.tif 000010